(57)【要約】【課題】葉書や封書などの印刷物に表示されている情報の活用範囲の拡大を図る。【解決手段】貼り合わせ葉書１０は、紙片１２，１４，１６が折り線１８，２０を介して連接し、Ｚ型に折り畳まれる。紙面１２Ａには、住所や氏名が記載された宛名部２４を囲むようにミシン目２２が形成されており、紙面１２Ｂと１４Ｂ及び紙面１４Ａと１６Ａが接着剤３０によって剥離可能に接着される。前記宛名部２４は、ミシン目２２に沿って切り離しカード２６として使用可能となっている。宛名部２４の裏面には、縁部と複数のマス目３２を区切る直線部分に接着剤３０が塗布されており、紙片１２と１４が接着した状態では、ミシン目２２の一部が切断されても、カード２６が印刷物１０から剥がれることはない。また前記マス目３２は、接着剤３０が塗布されていないため、任意の印刷や押印，書込み等に利用可能である。【選択図】図１
2010167764.tif 000002
【特許請求の範囲】
【請求項１】
複数のシートが剥離可能に貼り合わせられるか、縁部を切り離すことで開封可能となるように貼り合わせられた印刷物であって、
貼り合わせ状態において一番外側にくるシートに、該シートの一部の領域が周囲から切り離し可能となるように形成された切り離し線，
該切り離し線で囲まれた切り離し可能部分の表面に表示された情報，
を備えるとともに、
前記切り離し可能部分の裏面を、一部を除いて相対向するシートに剥離可能に接着することを特徴とする印刷物。
【請求項２】
前記切り離し可能部分と接着されるシートに、前記切り離し可能部分を含み、且つ該切り離し可能部分よりも大きい領域を区切るための切り離し線ないし切り取り線，
を設けたことを特徴とする請求項１記載の印刷物。
【請求項３】
複数のシートが剥離可能に貼り合わせられるか、縁部を切り離すことで開封可能となるように貼り合わせられており、貼り合わせ状態において一番外側にくるシートと相対向するように、前記複数のシート間に封入物が挟み込まれる印刷物であって、
前記一番外側にくるシートに、該シートの一部の領域が周囲から切り離し可能となるように形成された切り離し線，
該切り離し線で囲まれた切り離し可能部分の表面に表示された情報，
を備えるとともに、
前記切り離し可能部分の裏面を、一部を除いて前記封入物の表面に剥離可能に接着することを特徴とする印刷物。
【請求項４】
前記切り離し可能部分は、裏面の縁部のほぼ全周が、前記相対向するシート又は封入物の表面に接着されることを特徴とする請求項１〜３のいずれかに記載の印刷物。
【請求項５】
前記切り離し可能部分の裏面において、前記相対向するシート又は封入物の表面と接着されない部分を、任意の印刷，押印，書き込み用に利用することを特徴とする請求項１〜４のいずれかに記載の印刷物。
【請求項６】
前記切り離し線が形成されるシートに、前記相対向するシート又は封入物の表面の一部が露出するように形成された開口部ないし切れ込み，
を備えたことを特徴とする請求項１〜５のいずれかに記載の印刷物。
【請求項７】
前記相対向するシート又は封入物の表面に、前記切り離し可能部分との接着部と異なる位置に設けられており、前記切り離し可能部分の表面に表示された情報と対応するコード情報，
を備えるとともに、
前記開口部ないし切れ込みを、前記コード情報が露出する位置に設けたことを特徴とする請求項６記載の印刷物。
【請求項８】
前記切り離し線が形成されたシートから切り離した切り離し可能部分を、前記いずれかのシート又は封入物に貼付するための剥離可能なシールを、前記印刷物に封入ないし剥離可能に接着したことを特徴とする請求項１〜７のいずれかに記載の印刷物。
【請求項９】
複数のシートが一つ以上の折り線を介して連接し、該折り線に沿って折り返される印刷物であって、
前記複数のシートのいずれかのシートに、該シートの一部の領域が周囲から切り離し可能となるように形成された切り離し線，
該切り離し線で囲まれた切り離し可能部分の表裏のいずれかの面に表示された情報，
を備えたことを特徴とする印刷物。
【請求項１０】
シートの一部の領域が周囲から切り離し可能となるように、該シートに形成された切り離し線，
該切り離し線で囲まれた切り離し可能部分の表裏のいずれかの面に接着されており、情報が表示された他のシート，
を備えたことを特徴とする印刷物。
【請求項１１】
前記他のシートが、一つ以上の折り線を介して連接されるとともに、該折り線に沿って折り返した状態で互いに剥離可能に接着されており、該接着状態において前記切り離し可能部分に接着されることを特徴とする請求項１０記載の印刷物。
【請求項１２】
シートの一部の領域が周囲から切り離し可能となるように、該シートに形成された切り離し線，
該切り離し線で囲まれた切り離し可能部分の表裏のいずれかの面に表示された情報，
を備えたことを特徴とする印刷物。
【請求項１３】
前記印刷物は、前記複数のシートが一つ以上の折り線を介して連接されるとともに、該折り線に沿って折り返した状態で剥離可能に接着されていることを特徴とする請求項１〜８のいずれかに記載の印刷物。
【請求項１４】
前記複数のシートが前記折り線に沿って折り返した状態で剥離可能に接着されている印刷物のいずれかのシートに、更に他のシートを剥離可能かつ分離可能に接着したことを特徴とする請求項１３記載の印刷物。
【請求項１５】
請求項１〜１４のいずれかに記載の印刷物を、他のシートとともに製本したことを特徴とする印刷物。
【請求項１６】
前記切り離し可能部分に表示された情報が、宛名情報であることを特徴とする請求項１〜１５のいずれかに記載の印刷物。
【発明の詳細な説明】
【技術分野】
【０００１】
本発明は、広告やアンケートなど多用途に利用される印刷物に関し、更に具体的には、表示された情報の活用範囲の拡大を図ることができる印刷物に関するものである。
【背景技術】
【０００２】
複数の紙片が剥離可能に貼り合わせられた葉書や封書は、貼り合わせ状態と同じサイズの葉書や封書よりも、剥離したときの面積が数倍広くなり、その分多くの情報を掲載することができるため、ダイレクトメールやアンケートなどの多用途に利用されている。このような貼り合わせタイプの葉書や封書には、返信用葉書が一体化したものや、各種カードなどが封入されたものがある。例えば、下記特許文献１には、左右に開くことができるように左右の所定の箇所に切り込みが入っており、かつ所定の箇所に剥離可能な接着剤が塗布され、圧着されている広告用印刷物において、当該広告用印刷物の表面の所定箇所に切り取り可能に葉書を設けることが開示されている。また、下記特許文献２には、第１〜第３の帳票片が連接したベース用紙を折り返して外縁部を圧着した封書において、ＲＦＩＤタグ付きカードが見開いた封書の中心の帳票片に装着されており、当該帳票片に設けたカード外形状のミシン目線からＲＦＩＤカードをカード形状に切り取り可能であることが開示されている。
【先行技術文献】
【特許文献】
【０００３】
【特許文献１】実用新案登録第３０９６９１０号公報
【特許文献２】特開２００３−１４１４９３号公報
【発明の概要】
【発明が解決しようとする課題】
【０００４】
しかしながら、以上のような背景技術には次のような不都合がある。まず、上述した特許文献１に記載の技術では、切り取った葉書に差出人の氏名や住所を記入する手間がかかるという不都合がある。また、前記特許文献２に記載の技術においても、前記ＲＦＩＤカードを会員カードなどとして利用する場合には、所有者の氏名などを記入しなければならない。すなわち、これら前記特許文献１及び２においては、貼り合わせ葉書や封書の表面に表示されている各種情報（宛名情報や所有者名など）を有効利用することができない。
【０００５】
本発明は、以上の点に着目したもので、その目的は、葉書や封書あるいは各種配布物といった印刷物に表示されている情報の活用範囲の拡大を図ることができる印刷物を提供することである。
【課題を解決するための手段】
【０００６】
前記目的を達成するため、本発明は、複数のシートが剥離可能に貼り合わせられるか、縁部を切り離すことで開封可能となるように貼り合わせられた印刷物であって、貼り合わせ状態において一番外側にくるシートに、該シートの一部の領域が周囲から切り離し可能となるように形成された切り離し線，該切り離し線で囲まれた切り離し可能部分の表面に表示された情報，を備えるとともに、前記切り離し可能部分の裏面を、一部を除いて相対向するシートに剥離可能に接着することを特徴とする。主要な形態の一つは、前記切り離し可能部分と接着されるシートに、前記切り離し可能部分を含み、且つ該切り離し可能部分よりも大きい領域を区切るための切り離し線ないし切り取り線，を設けたことを特徴とする。
【０００７】
他の発明は、複数のシートが剥離可能に貼り合わせられるか、縁部を切り離すことで開封可能となるように貼り合わせられており、貼り合わせ状態において一番外側にくるシートと相対向するように、前記複数のシート間に封入物が挟み込まれる印刷物であって、前記一番外側にくるシートに、該シートの一部の領域が周囲から切り離し可能となるように形成された切り離し線，該切り離し線で囲まれた切り離し可能部分の表面に表示された情報，を備えるとともに、前記切り離し可能部分の裏面を、一部を除いて前記封入物の表面に剥離可能に接着することを特徴とする。
【０００８】
主要な形態は、前記いずれかに記載の印刷物において、前記切り離し可能部分は、裏面の縁部のほぼ全周が、前記相対向するシート又は封入物の表面に接着されることを特徴とする。他の形態は、前記切り離し可能部分の裏面において、前記相対向するシート又は封入物の表面と接着されない部分を、任意の印刷，押印，書き込み用に利用することを特徴とする。
【０００９】
更に他の形態は、前記切り離し線が形成されるシートに、前記相対向するシート又は封入物の表面の一部が露出するように形成された開口部ないし切れ込み，を備えたことを特徴とする。更に他の形態は、前記相対向するシート又は封入物の表面に、前記切り離し可能部分との接着部と異なる位置に設けられており、前記切り離し可能部分の表面に表示された情報と対応するコード情報，を備えるとともに、前記開口部ないし切れ込みを、前記コード情報が露出する位置に設けたことを特徴とする。更に他の形態は、前記切り離し線が形成されたシートから切り離した切り離し可能部分を、前記いずれかのシート又は封入物に貼付するための剥離可能なシールを、前記印刷物に封入ないし剥離可能に接着したことを特徴とする。
【００１０】
更に他の発明は、複数のシートが一つ以上の折り線を介して連接し、該折り線に沿って折り返される印刷物であって、前記複数のシートのいずれかのシートに、該シートの一部の領域が周囲から切り離し可能となるように形成された切り離し線，該切り離し線で囲まれた切り離し可能部分の表裏のいずれかの面に表示された情報，を備えたことを特徴とする。
【００１１】
更に他の発明は、シートの一部の領域が周囲から切り離し可能となるように、該シートに形成された切り離し線，該切り離し線で囲まれた切り離し可能部分の表裏のいずれかの面に接着されており、情報が表示された他のシート，を備えたことを特徴とする。主要な形態の一つは、前記他のシートが、一つ以上の折り線を介して連接されるとともに、該折り線に沿って折り返した状態で互いに剥離可能に接着されており、該接着状態において前記切り離し可能部分に接着されることを特徴とする。
【００１２】
更に他の発明は、シートの一部の領域が周囲から切り離し可能となるように、該シートに形成された切り離し線，該切り離し線で囲まれた切り離し可能部分の表裏のいずれかの面に表示された情報，を備えたことを特徴とする。
【００１３】
主要な形態の一つは、請求項１〜８のいずれかに記載の印刷物は、前記複数のシートが一つ以上の折り線を介して連接されるとともに、該折り線に沿って折り返した状態で剥離可能に接着されていることを特徴とする。他の形態は、前記複数のシートが前記折り線に沿って折り返した状態で剥離可能に接着されている印刷物のいずれかのシートに、更に他のシートを剥離可能かつ分離可能に接着したことを特徴とする。更に他の形態は、前記いずれかに記載の印刷物を、他のシートとともに製本したことを特徴とする。
【００１４】
更に他の形態は、前記いずれかに記載の印刷物において、前記切り離し可能部分に表示された情報が、宛名情報であることを特徴とする。本発明の前記及び他の目的，特徴，利点は、以下の詳細な説明及び添付図面に明瞭になろう。
【発明の効果】
【００１５】
本発明によれば、次のような効果が得られる。
(1)シートに表示された情報を、切り離し線で囲んで前記シートから切り離し可能としたので、前記切り離し可能部分に設けられた情報をそのまま利用できるとともに、前記切り離し可能部分が切り離されたシートの再利用が可能となる。
(2)複数のシートが剥離可能に貼り合わせられるか、縁部を切り離すことで開封可能となるように貼り合わせられた状態で一番外側にくるシートに表示された情報を、切り離し線で囲んで前記シートから切り離し可能にするとともに、該切り離し可能部分の裏面を、前記シートと相対向する他のシート又は封入物の表面に接着することで、前記切り離し可能部分が容易にシートや封入物から脱落することを防止できる。また、前記切り離し可能部分を相対向するシート又は封入物の表面から剥離可能とするとともに、裏面に非接着部分を設けて任意の印刷，押印，書込みに利用する，あるいは、前記切り離し可能部分が接着されたシート又は封入物を印刷物本体から外して利用することで、前記切り離し可能部分に設けられた情報をそのまま利用できるという効果が得られる。
【図面の簡単な説明】
【００１６】
【図１】本発明の実施例１を示す図であり、(A)は貼り合わせ葉書の折り返しの様子を示す外観斜視図，(B)は葉書を見開いた状態を示す斜視図，(C)は前記貼り合わせ葉書から切り離したカードの裏面を示す平面図，図１(D-1)及び(D-2)は、前記(C)を＃Ａ−＃Ａ線に沿って切断し矢印方向に見た端面図である。
【図２】本発明の実施例２を示す図であり、(A)は貼り合わせ状態の配布物を示す外観斜視図，(B)は前記配布物を見開き開封した状態を示す斜視図，(C)は配布物内の葉書を取り出した様子を示す図である。
【図３】前記実施例２の変形例を示す図であり、(A)は貼り合わせ状態の配布物を示す外観斜視図，(B)は前記配布物を見開き開封した状態を示す斜視図，(C)は葉書を取り出した後の配布物内を示す図，(D)は前記葉書の表裏を示す図である。
【図４】本発明の実施例３を示す図であり、(A)は貼り合わせ状態の配布物を示す外観斜視図，(B)は前記配布物を見開き開封した状態を示す斜視図，(C)は配布物から取り出した葉書とカードを示す図，(D)は返送する葉書の表裏を示す図である。
【図５】本発明の実施例４を示す図であり、(A-1)は貼り合わせ状態の配布物を示す外観斜視図，(A-2)は前記（A-1）の縦方向断面の端面図，(B)は前記配布物を見開き開封した状態を示す図，(C)〜(E)は前記配布物内から取り出した葉書の使用例を示す図である。
【図６】本発明の実施例５を示す図であり、(A)は貼り合わせ封書の一部を開封した状態を示す外観斜視図，(B)は貼り合わせ状態を示す断面図，(C)開封状態を示す断面図，(D)は封入物からカードを剥がした状態を示す図である。
【図７】本発明の実施例６を示す図であり、(A)は貼り合わせ状態の配布物を示す平面図，(B)は前記配布物の見開き状態を示す平面図である。
【図８】本発明の実施例７を示す図であり、(A)は貼り合わせ状態の配布物を示す平面図，(B)は前記配布物の見開き状態を示す平面図である。
【図９】本発明の実施例８を示す図であり、(A)は本実施例の貼り合わせ葉書を示す平面図，(B)は前記貼り合わせ葉書の重ね合わせの様子を示す縦方向断面の端面図，(C)，(D-1)，(D-2)は変形例を示す図である。
【図１０】本発明の実施例９を示す図であり、(A)は本実施例の封筒を示す平面図，(B)は前記封筒から宛名ラベルを切り取った状態を示す平面図，(C)〜(E)は利用例及び変形例を示す図である。
【図１１】本発明の他の実施例を示す図である。
【図１２】本発明の他の実施例を示す図である。
【図１３】本発明の他の実施例を示す図である。
【図１４】本発明の他の実施例を示す図である。
【発明を実施するための形態】
【００１７】
以下、本発明を実施するための最良の形態を、実施例に基づいて詳細に説明する。
【実施例１】
【００１８】
最初に、図１を参照しながら本発明の実施例１を説明する。図１(A)は本実施例の貼り合わせ葉書の折り返しの様子を示す外観斜視図，図１(B)は葉書を見開いた状態を示す斜視図，図１(C)は前記貼り合わせ葉書から切り離したカードの裏面を示す平面図，図１(D-1)及び(D-2)は、前記図１(C)を＃Ａ−＃Ａ線に沿って切断し矢印方向に見た端面図である。本実施例は、本発明の印刷物を、紙片を剥離可能に貼り合わせた葉書ないし見開き葉書に適用した例である。貼り合わせ葉書は、印刷した葉書を折って、熱と圧を加えて貼り合わせたもので、容易に剥離することができるが、一度剥がすと元に戻せないという特性を有している。また、見開いたときの面積が広いため、官製葉書の数倍以上の情報を掲載できることから、広告やアンケートなどのダイレクトメールにも利用されている。
【００１９】
本実施例の貼り合わせ葉書１０（以下、単に「葉書」という）は、３枚の紙片１２，１４，１６が、折り線１８，２０を介して連接しており、図１(A)に示すように、前記折り線１８，２０に沿ってＺ型に折り返し（折り畳み）可能となっている。前記紙片１２の紙面１２Ａには、配送先の宛名情報が表示されており、他の紙面１２Ｂ，１４Ａ，１４Ｂ，１６Ａ，１６Ｂには、任意の広告内容などが印刷されている。そして、前記紙面１２Ｂと１４Ｂが公知の接着剤３０によって剥離可能に接着され、他の紙面１４Ａと１６Ａも前記接着剤３０によって剥離可能に接着されている。接着剤３０としては、例えば、糊やニスが用いられるが、フィルムを接着層として用いるようにしてもよい。このような紙片１２，１４，１６を剥離可能に接着する技術は公知である。
【００２０】
本実施例では、葉書１０を貼り合わせた状態において一番外側にくる紙片１２の紙面１２Ａに、住所や氏名が記載された宛名部２４を囲むようにミシン目２２が略長方形に形成されている。該ミシン目２２の形成は、印刷の前後のいずれであってもよい。前記宛名部２４は、紙片１２と１４を図１(B)に示すように見開いた状態で、前記ミシン目２２に沿って周囲の紙片１２から切り離し、カード２６として使用可能となっている。宛名部２４が切り離された紙片１２には、窓２８が形成される。また、前記宛名部２４の裏面には、図１(B)及び(C)に示すように、縁部の全周と複数のマス目３２を区切る直線部分に、前記紙片１２Ｂと１４Ｂの貼り合わせに用いたものと同様の接着剤３０が塗布されている。このように、前記接着剤３０を宛名部２４の裏面にも塗布することにより、紙片１２と１４が接着した状態では、宛名部２４も紙片１４に接着しており、仮にミシン目２２の一部が切断されても、カード２６が印刷物１０から剥がれてしまうことはない。また、前記マス目３２の間は、格子状に接着剤３０が塗布されているので、宛名部２４の中央が紙片１４から浮くことも防止できる。
【００２１】
前記カード２６は、表面は前記宛名部２４となっており、裏面には前記マス目３２が複数設けられている。該マス目３２は、上述したように接着剤３０が塗布されてないため、任意の印刷や押印，あるいは書き込みなどに利用することができる。なお、前記マス目３２には、図１(D-1)に示すように、全く接着剤３０が塗布されていないことが好ましいが、製造上の誤差によって図１(D-2)に示すように、ごく薄く接着剤３０が塗布されていたとしても、前記印刷，押印，書き込みが可能な状態であれば差支えない。例えば、前記マス目３２にスタンプを捺印することにより、ポイントカード，会員カード，スタンプラリーの台紙などに利用できる。このとき、カード２６の表には、既に住所・氏名などの情報が表示されているため、カード２６の利用者が記入する手間を省くことができる。また、カード２６が景品交換用の割引クーポンの場合は、葉書１０から取り出してカード２６を財布に収納しておけば、使い忘れが防止できる。あるいは、カード２６を持参した客の宛名部２４の情報を、名刺読み取り機などを利用してパソコンに読み込み、顧客情報の管理を迅速に行うために利用してもよい。
【００２２】
このように、実施例１によれば、次のような効果がある。
(1)貼り合わせ葉書１０の一番外側にくる紙片１２に表示された宛名部２４を、ミシン目２２で囲んで前記紙片１２から切り離してカード２６として利用可能にするとともに、前記カード２６の裏面にも一部を除いて接着剤３０を設けて、紙面１４Ｂに剥離可能に接着した。このため、葉書１０の貼り合わせ状態において、前記カード２６が紙片１２から容易に脱落するのを防止することができるとともに、見開き状態の葉書１０からカード２６を切り離して利用する際に、前記宛名部２４に表示された情報を利用できる。
(2)前記接着剤３０が、カード２６の裏面の縁部と、複数のマス目３２を区切る直線状に塗布されているため、葉書１０が貼り合わせ状態のときに、宛名部２４の中央が紙片２４から浮くのを防止できる。また、前記マス目３２には接着剤３０が塗布されていないため、任意の印刷，押印，書き込みなどに利用できる。
【実施例２】
【００２３】
次に、図２を参照しながら本発明の実施例２を説明する。上述した実施例１は、貼り合わせ葉書に本発明を適用したものであるが、本実施例は、ポスティングなどによって配布される配布物に本発明を適用した例である。図２(A)は本実施例の配布物の貼り合わせ状態を示す外観斜視図，図２(B)は前記配布物を見開き開封した状態を示す斜視図，図２(C)は前記配布物内の葉書を取り出した様子を示す図である。図２に示すように、本実施例の配布物５０は、紙片５２と５４が折り線５６を介して連接しており、該折り線５６に沿って折り返し、紙面５２Ａ，５２Ｂの周囲に設けた図示しない接着剤によって、紙片５２と５４が剥離可能に貼り合わせられている。また、前記紙片５２と５４の間には、規定サイズの葉書６２が挟み込まれている。
【００２４】
前記紙片５２の紙面５２Ａには、宛名部６０を取り囲むようにミシン目５８が形成されており、該ミシン目５８に沿って宛名部６０が紙片５２から切り離し可能となっている。他の紙面５２Ｂ，５４Ａ，５４Ｂには、新商品の宣伝やアンケートなどの任意の内容が印刷されている。前記宛名部６０の裏面には、接着剤６４が塗布されており、前記葉書６２の表面６２Ａに強力に剥離可能に接着されている。すなわち、前記宛名部６０の内側と外側で、接着強度に差が設けられている。このため、配布物５０の角５７から紙片５２，５４を見開き状態に開封し、前記葉書６２を剥がすと、該葉書６２に接着された宛名部６０がミシン目５８に沿って切り離され、図２(C)に示すように前記宛名部６０が葉書６２の表面６２Ａに残り、紙片５２には窓６６が形成される。前記葉書６２は、本実施例では、アンケートの回答用紙になっており、前記宛名部６０には回答の送付先の宛名情報が予め印字されている。
【００２５】
このように、実施例２によれば、紙片５２，５４の間に挟み込んだ葉書６２に、前記紙片５２からミシン目５８に沿って切り離し可能な宛名部６０を接着剤６４によって強力に接着することとした。このため、配布物５０が貼り合わせられた状態においては、前記ミシン目５８の一部が破れても、宛名部６０が容易に脱落することがない。また、配布物５０の開封と同時に、前記宛名部６０を封入した葉書６２の表面６２Ａに残すこととしたので、宛先記入の手間がなくなるという利点がある。
【００２６】
なお、前記葉書６２は、アンケートが匿名回答できるものであれば、そのまま回答のみ記入して投函すればよく、記名回答するものであれば、葉書裏面６２Ｂなどに設けられた図示しない記入欄に必要事項を記入して投函してもよい。あるいは、本実施例の配布物５０が特定の回答見込み者に配布されるものである場合には、他方の紙片５４に、回答者の宛名情報を印字した宛名部を設けてミシン目で囲むとともに、前記宛名部の裏面に接着剤を塗布して葉書裏面６２Ｂに接着し、配布物５０の開封によって前記宛名部を葉書裏面６２Ｂに残すようにしてもよい。この場合は、前記回答者の宛名情報を利用して、配布物５０を手渡しやポスティングではなく、郵送で送ることも可能となる。なお、上記説明では、前記宛名部６０は、葉書６２に接着された状態のまま利用することとしたが、必要に応じて葉書６２から剥がし、単体で利用することを妨げるものではない。また、単体で利用する場合の裏面の利用方法も任意であり、例えば、実施例１と同様にマス目を設けてポイントカードとして利用してもよいし、他の情報を記載してもよい。
【００２７】
＜変形例＞・・・次に、図３を参照して、本実施例の変形例を説明する。なお、図３(A)は変形例の配布物の貼り合わせ状態を示す外観斜視図，図３(B)は前記配布物を見開き開封した状態を示す斜視図，図３(C)は葉書を取り出した後の配布物内を示す図，図３(D)は前記葉書の表裏を示す図である。変形例の配布物５０Ａの基本構造は、図２に示す配布物５０と同様であり、折り線５６を介して紙片５２，５４が連接され、図示しない接着剤で剥離可能に貼り合わせられるとともに、前記紙片５２，５４間には、規定サイズの葉書７０が挟み込まれている。図２に示す例では、前記紙片５２に設けた宛名部６０には、アンケートの回答先の宛名情報が記載されていたが、本例では、宛名部６０Ａには、回答者（ないし回答見込み者）の宛名情報が記載されており、該宛名部６０Ａがミシン目５８に沿って紙片５２から切り離し可能となっている。
【００２８】
前記宛名部６０Ａの裏面には、接着剤６４が塗布されており、前記葉書７０の表面７０Ａに強力に剥離可能に接着されている。このため、紙片５２，５４を見開き状態に開封して前記葉書７０を剥がすと、該葉書７０に接着された宛名部６０Ａがミシン目５８に沿って切り離され、図３(C)に示すように前記宛名部６０Ａが葉書表面７０Ａに残る。前記葉書７０の裏面７０Ｂには、図３(B)及び(C)に示すように、アンケートの回答先の宛名情報７２が予め印字されている。更に、本変形例では、紙面５２Ｂの前記葉書７０の下方に、前記紙面５２Ｂから剥離して他の部分に貼付可能なプライバシー保護用のシール７４が設けられている。回答者は、アンケートに回答して投函する前に、図３(D)に表裏を示すように、自らの宛名情報が記載されている宛名部６０Ａに、前記シール７４を貼付することでプライバシーを保護することができる。葉書７０を受け取った側では、前記シール７４を剥がすことにより、差出人を確認することができる。図３に示す例では、前記図２に示す例の効果に加え、自分の宛名情報の記入の手間を省くことができ、プライバシーも保護できるという効果がある。また、図２に示す例と同様に、必要に応じて宛名部６０Ａを葉書７０から剥離し、それぞれを別に利用してもよい。例えば、宛名部６０Ａをカードとして使用し、葉書７０をアンケート葉書として使用するという具合である。
【実施例３】
【００２９】
次に、図４を参照しながら本発明の実施例３を説明する。本実施例は、郵送可能な圧着封筒タイプの配布物に本発明を適用した例である。図４(A)は本実施例の配布物の貼り合わせ状態を示す外観斜視図，図４(B)は前記配布物を見開き開封した状態を示す斜視図，図４(C)は配布物から取り出した葉書とカードを示す図，図４(D)は返送する葉書の表裏を示す図である。なお、前記実施例２と同一ないし対応する構成要素には同一の符号を用いることとする（以下の実施例についても同様）。
【００３０】
本実施例の配布物５０Ｂの基本構造は、前記実施例２の配布物５０と同様であり、折り線５６を介して紙片５２，５４が連接され、図示しない接着剤によって剥離可能に貼り合わせられるとともに、紙片５２，５４間には、規定サイズの葉書８０が挟み込まれている。図４に示す例では、前記葉書８０は、プレゼントの応募用紙になっており、前記紙片５２に設けた宛名部６０Ｂには、プレゼントの応募者（ないし応募見込者）の宛名情報が記載されており、該宛名部６０Ｂがミシン目５８に沿って紙片５２から切り離し可能となっている。
【００３１】
前記宛名部６０Ｂの裏面には、接着剤８２が塗布されており、前記葉書８０の表面８０Ａに強力かつ剥離可能に接着されている。すなわち、前記宛名部６０Ｂの内側と外側で、接着強度に差が設けられている。このため、紙片５２，５４を見開き状態に開封して前記葉書８０を剥がすと、該葉書８０に接着された宛名部６０Ｂがミシン目５８に沿って切り離され、図４(C)（左図）に示すように宛名部６０Ｂが葉書表面８０Ａに残る。本実施例では、前記接着剤８２により宛名部６０Ｂが葉書表面８０Ａに剥離可能に接着されているため、図４(C)（右図）に示すように、葉書表面８０Ａから剥離した宛名部６０Ｂをカード８４として利用できる。図示の例では、前記カード８４の一方の面が前記宛名部６０Ｂとなっており、他方の面には、縁部の全周と複数のマス目８６を区切る直線部分に前記接着剤８２が塗布されている。
【００３２】
一方、前記葉書８０の裏面８０Ｂには、図４(B)及び(D)に示すように、プレゼントの応募先の宛名情報７２が予め印字されている。更に、前記紙面５２Ｂの前記葉書８０の下方に、前記紙面５２Ｂから剥離して他の部分に貼付可能なシール７５が設けられている。本実施例では、前記シール７５として、前記カード８４よりも大きく透明なシールを用いており、該シール７５によって、葉書表面８０Ａから一度剥離したカード８４を、図４(D)に示すように、葉書８０（図示の例では表面８０Ａ）に落ちないように貼付することが可能となる。このようにすると、例えば、前記複数のマス目８６の全てにスタンプ８８を押したカード８４を、前記スタンプ側が見えるように葉書表面８０Ａに貼ることで、回答者のプライバシーを保護しながら、プレゼントの抽選などに応募することが容易になる。なお、前記実施例２の変形例と同様に、カード８４を剥がさずに返送するようにしてもよい。
【００３３】
このように実施例３によれば、配布物５０Ｂに封入された葉書８０からカード８４を剥離してカード単体で利用できるとともに、シール７５を利用することで前記カード８４を剥離した葉書８０に再添付して返送することができるという効果がある。
【実施例４】
【００３４】
次に、図５を参照しながら本発明の実施例４を説明する。本実施例も、上述した実施例３と同様に、見開き開封される圧着封筒タイプの配布物に、本発明を適用したものであるが、前記配布物に表示されている個人情報の保護及び管理に、特に適した例である。図５(A-1)は貼り合わせ状態の配布物を示す外観斜視図，図５(A-2)は前記(A-1)を縦方向に切断した端面図，図５(B)は前記配布物を見開き開封した状態を示す図，(C)〜(E)は前記配布物内から取り出した葉書の使用例を示す図である。
【００３５】
本実施例の配布物１００は、折り線１０６を介して紙片１０２，１０４が連接され、図示しない接着剤によって剥離可能に貼り合わせられるとともに、紙片１０２，１０４間には、規定サイズの葉書１１４が挟み込まれている。前記紙片１０２には宛名部１１２が設けられており、アンケートの回答者（ないし回答見込み者）の宛名情報が記載されるとともに、該宛名部１１２がミシン目１１０に沿って紙片１０２から切り離し可能となっている。更に、宛名部１１２の下方には、横長の略長方形の窓（ないし開口部）１２２が形成されている。また、前記紙片１０２の前記葉書１１４の下方には、紙面１０２Ｂから剥離して他の部分に貼付可能なシール１３８が設けられている。該シール１３８は、用途に応じて透明としてもよいし不透明としてもよい。
【００３６】
一方、前記葉書１１４は、図示の例ではアンケートの回答用紙になっており、表面１１４Ａには、コード情報１１６とアンケート部１１８が設けられ、裏面１１４Ｂにはアンケートの回答先の宛名情報１２０が設けられている。前記コード情報１１６は、前記宛名部１１２に表示された宛名情報に対応するバーコードであって、前記紙片１０２の窓１２２に対応する位置に形成されており、紙片１０２から露出している。このため、前記コード情報１１６と宛名部１１２の宛名情報を同時印刷することが可能となる。
【００３７】
前記宛名部１１２の裏面には、接着剤１１３が塗布され、前記葉書１１４の表面１１４Ａに強力かつ剥離可能に接着されている。すなわち、前記宛名部１１２の内側と外側で、接着強度に差が設けられている。このため、紙片１０２，１０４を見開き状態に開封して前記葉書１１４を剥がすと、該葉書１１４に接着された宛名部１１２がミシン目１１０に沿って切り離され、図５(B)に示すように、宛名部１１２が葉書表面１１４Ａに残る。前記実施例３と同様に、本実施例においても、前記宛名部１１２は葉書表面１１４Ａに剥離可能に接着されているため、葉書表面１１４Ａから剥離した宛名部１１２をカード１３０として利用できる。図示の例では、前記カード１３０の一方の面が前記宛名部１１２となっており、他方の面には、縁部の全周と複数のマス目１３２を区切る直線部分に、前記接着剤１１３が塗布されている。
【００３８】
次に、本実施例の使用例を説明する。まず、図５(C)に示す例は、見開き開封した配布物１００から葉書１１４を取り出してカード１３０を剥離し、該カード１３０のマス目１３２にスタンプ１３４を貯めた上で、該スタンプ１３４側が表側になるように裏面を接着剤１３６で葉書表面１１４Ａに貼り付けたものである。この葉書表面１１４Ａのアンケート部１１８に回答を記入すると、ＦＡＸでの回答の送信が可能である。なお、前記カード１３０は、回答者の宛名情報が記載された宛名部１１２を葉書表面１１４Ａに貼付するため、前記宛名情報は見えなくなるが、コード情報１１６を専用の装置で読み取ることにより、回答の受取側では、前記コード情報１１６と対応した回答者の宛名情報の識別や管理が可能となる。また、図示の例では接着剤１３６で貼り付けることとしたが、透明のシール１３８を利用してカード１３０を葉書表面１１４Ａに貼付してもよい（図示せず）。
【００３９】
図５(D)に示す例は、前記カード１３０を、不透明なシール１３８で葉書表面１１４Ａに貼付し、アンケートの回答を記入した上で、郵送によって返送するようにした例である。この場合、カード１３０のどちらの面を表側にしても、不透明なシール１３８によって回答者の宛名情報が隠れるため、プライバシーの保護が可能となる。むろん、本例の場合も、前記コード情報１１６により、回答者の識別や個人情報の管理が可能になることは上述した通りである。更に、図５(E)に示す例では、カード１３０は会員カードなどとして単体で継続的に利用し、葉書１１４にはカード１３０を貼付せずに回答のみを記入して返送するようにしてもよい。
【実施例５】
【００４０】
次に、図６を参照して本発明の実施例５を説明する。本実施例は、前記実施例３と同様に本発明を貼り合わせ封書（ないし圧着封書）に適用したものである。図６(A)は本実施例の貼り合わせ封書の一部を開封した状態を示す外観斜視図，図６(B)は貼り合わせ状態を示す断面図，図６(C)は開封状態を示す断面図，図６(D)は封入物からカードを剥がした状態を示す図である。図６に示すように、本実施例の貼り合わせ封書１５０は、紙片１５２，１５４が、折り線１５６を介して連接しており、該折り線１５６に沿って折り返し、紙面１５２Ｂ，１５４Ｂの周囲に接着剤１５８を塗布することで、紙片１５２と１５４が剥離可能に貼り合わせられている。また、前記紙片１５２，１５４の間には、例えば、小冊子やパンフレットのような封入物１６４が挟み込まれている。
【００４１】
前記紙片１５２の紙面１５２Ａには、宛名部１６２を囲みミシン目１６０が形成されており、該ミシン目１６０に沿って宛名部１６２が紙片１５２から切り離し可能となっている。他の紙面１５２Ｂ，１５４Ａ，１５４Ｂには、任意の印刷を施すようにしてもよいし、差出人の宛名情報のみ紙面１５４Ａに印字する程度であってもよい。前記宛名部１６２の裏面には、非塗布部分を残すように接着剤１６６が設けられており、前記宛名部１６２の裏面が前記封入物１６４の表面に、強力かつ剥離可能に接着されている。すなわち、前記宛名部１６２の内側と外側で、接着強度に差が設けられている。このため、貼り合わせ封書１５０を見開き状態に開封すると、図６(C)に示すように、前記封入物１６４に接着された宛名部１６２がミシン目１６０に沿って切り離され、封入物１６４の表面に残り、紙片１６２には窓が形成される。
【００４２】
なお、貼り合わせ封書１５０を開くときに、図６(A)に示すように右下側の角１６８から紙面１５２をめくる場合には、同図に示すコーナーＰのように、ミシン目１６０の間隔を他の部分よりも細かくして、開け口側が切断し易くなるようにしてもよい。あるいは、前記コーナーＰ付近に設ける接着剤１６６は、他の部分よりも接着強度が弱いものを利用するようにしてもよい。これらの方法により、開け口側から封書１５０を開いたときに、ミシン目１６０が切断しやすくなるため、宛名部１６２を封入物１６４の表面にきれいに残すことができる。
【００４３】
前記封入物１６４とともに封書１５０から取り出された宛名部１６２は、前記封入物１６４から剥離することにより、図６(D)に示すようにカード１７０として利用可能となっている。例えば、前記宛名部１６２の裏面に設ける接着剤１６６を、図６(D)の右側上段に示す例のように、マス目１７２を残して塗布することにより、前記マス目１７２をスタンプの捺印などに利用することができる。あるいは、図６(D)の右側下段に示す例のように、縁部のみに接着剤を塗布すると、中央の非塗布部分にクジ１７４の当たり外れの表示を行うことができる。なお、このような表示は、カード１７０を剥がした後に現れる封入物１６４の表面側に設けるようにしてもよい。むろん、前記封入物１６４の内容や、カード１７０の表裏面に設ける印刷内容によっては、前記カード１７０を封入物１６４の表面に接着したまま利用するようにしてもよい。このほかの作用・効果は、上述した実施例１及び２と同様である。
【実施例６】
【００４４】
次に、図７を参照しながら本発明の実施例６を説明する。本実施例は、大きなチラシを四つ折りにしたものを郵送用の配布物２００として利用した例である。図７(A)は、本実施例の配布物の貼り合わせ状態を示す平面図，図７(B)は前記配布物の見開き状態を示す斜視図である。本実施例の配布物２００は、図７(B)に示すように、折り線２０４及び２０６を介して複数の紙片２０８，２１０，２１２，２１４が連接した大きなチラシ２０２を利用したものである。該チラシ２０２は、前記折り線２０４に沿って矢印Ｆ１方向に折り、次いで、折り線２０６に沿って矢印Ｆ２方向に折り、接着剤２１６を縁部に塗布して剥離可能に貼り合わせられている。前記紙片２０８の紙面２０８Ａには、宛名部２２２を囲むミシン目２２０が形成されるとともに、該ミシン目２２０の下方にも略長方形の他のミシン目２３０が形成されている。これらミシン目２２０，２３０に沿って紙片２０８の一部を切り離すと、独立したカード２２４，２３２としての利用が可能となっている。他の紙面には、任意の印刷が施されている。
【００４５】
前記カード２２４（宛名部２２２）及びカード２３２の裏面には、縁部に接着剤２２６が設けられており、前記カード２２４，２３２の裏面が、紙面２１２Ｂの貼り合わせ部２４０，２４２に剥離可能に接着されている。このため、チラシ２０２を矢印Ｆ１方向に開くと、図７(B)に示すように、前記カード２２４，２３２がミシン目２２０，２３０に沿って切り離され、紙片２０８には窓２２８，２３４が形成される。また、接着剤２２６による接着強度が強い場合には、前記紙片２０８及び２１０を矢印Ｆ１方向に開くと、ミシン目２２０，２３０が切れて、カード２２４，２３２が紙面２１２Ｂに残るため、必要な時に紙片２１２から剥がして利用する。なお、前記カード２２４は、表面が宛名部２２２であるため、住所・氏名の記載が必要なポイントカードや各種会員カードに利用できる。また、前記カード２３２は裏面が割引券となっている。本実施例の基本的作用・効果は、上述した実施例１と同様である。
【実施例７】
【００４６】
次に、図８を参照しながら本発明の実施例７を説明する。本実施例は、ポスティングや手渡しなどによって配布される配布物に本発明を適用した例であって、図８(A)は本実施例の配布物の貼り合わせ状態を示す平面図，図８(B)は前記配布物の見開き状態を示す平面図である。図８に示すように、本実施例の配布物３００は、紙片３０２と３０４が折り線３０６を介して連接しており、該折り線３０６に沿って折り返し、紙面３０２Ｂ，３０４Ｂに設けた接着剤３１４によって、紙片３０２と３０４が剥離可能に貼り合わせられている。前記紙面３０２Ａには、宛名部３１２を囲むようにミシン目３１０が形成されており、該ミシン目３１０に沿って宛名部３１２が紙片３０２から切り離し可能となっている。
【００４７】
前記宛名部３１２の裏面の縁部には、接着剤３１４が設けられており、前記紙面３０４Ｂに強力かつ剥離可能に接着されている。すなわち、前記宛名部３１２の内側と外側で、接着強度に差が設けられている。このため、配布物３００を角３０８から見開き状態に開封すると、図８(B)に示すように、前記紙面３０４Ｂに接着された宛名部３１２がミシン目３１０に沿って切り離されて紙面３０４Ｂの表面に残り、紙片３０２には窓３１６が形成される。ここで、前記紙面３０４Ｂには、前記宛名部３１２を含み、かつ、規定の葉書サイズとなるように、ミシン目３１８ないし切り取り線が設けられている。該ミシン目３１８に沿って紙片３０４を切り離すと、宛名部３１２を含む葉書３２０として利用できる。本実施例の基本的作用・効果は、葉書３２０を切り離す動作以外は、上述した実施例２と同様である。また、前記実施例５と同様に、前記宛名部３１２を必要に応じて剥離し、カード単体として利用するようにしてもよい。
【実施例８】
【００４８】
次に、図９を参照しながら本発明の実施例８を説明する。上述した実施例はいずれも、複数の紙片が一つ以上の折り線を介して連接した構造となっているが、本実施例は少なくとも一つの紙片が他の紙片に対して、剥離可能かつ分離可能に接着されている例である。図９(A)は、本実施例の貼り合わせ葉書を示す平面図，(B)は前記貼り合わせ葉書の重ね合わせの様子を示す縦方向断面の端面図，(C)，(D-1),(D-2)は変形例を示す図である。本実施例の貼り合わせ葉書４００は、複数の紙片４０２，４０４，４０６を剥離可能に重ね合わせた構成となっている。前記紙片４０４，４０６は、折り線４０５を介して連接しており、紙面４０４Ｂと４０６Ｂが接着剤４０８によって剥離可能に接着されている。
【００４９】
前記紙片４０２は、ミシン目４１２で囲まれた領域内に宛名部４１４が形成されており、紙面４０２Ａの下側には、「○○会社からのプレゼントが裏側にあります！！」というコメント４１６が設けられている。該コメント４１６は、貼り合わせ葉書４００の受取人に、該葉書が見開き可能であることを示して興味を起こさせるものである。このような紙片４０２の紙面４０２Ｂと、前記紙片４０４の紙面４０４Ａは、前記接着剤４０８によって剥離可能に接着されている。なお、前記宛名部４１４の裏面も前記接着剤４０８によって紙面４０４Ａに接着されるが、該接着剤４０８は宛名部４１４の裏面全体ではなく、一部を除いた部分を接着するのは上述した実施例１と同様である。
【００５０】
本実施例では、上述した実施例１の効果に加え、紙片４０２が紙面４０４に対して剥離可能になっているため、紙片４０２の材質と、紙片４０４及び４０６の紙質を異なるものにできるという効果がある。例えば、一番上の紙片４０２を、年賀状や暑中見舞い葉書などにし、他の紙片４０４，４０６を宣伝用にするなどである。なお、紙質のみならず、紙面１４２の表面加工，色，ツヤなどを、他の紙片４０４，４０６と変えるようにしてもよい。特に、紙片４０２は、宛名部４１４を切り離してカードとして利用する場合には、上質の紙を使用するとよい。他の紙片４０４，４０６に安い紙を用いることにより、大量に安く印刷を行うことができる。なお、前記宛名部４１４は、角４１０から紙片４０２を剥がすときに一緒に剥がれ、そこからミシン目４１２に沿って切り離してもよいし、紙片４０４に貼り付いて残ったものを剥がすようにしてもよい。
【００５１】
＜変形例＞・・・図９(C)には、本実施例の変形例が示されている。前記図９(A)に示す例では、コメント４１６を紙面４０２Ａに設けることで、貼り合わせ葉書４００が剥離可能であることを受取人に示したが、図９(C)に示す貼り合わせ葉書４００Ａのように、紙面４０２Ａの縁部に略半月形に切れ込み４１８を設け、紙面４０４Ａの内容の一部を見せて興味を持たせるようにしてもよい。また、図９(D-1)に示すように、紙片４０４と４０６をずらして折り返し、紙片４０４の縁部を覆うように前記紙片４０２を接着してもよいし、図９(D-2)に示す例のように、ずらして折り返した紙片４０４と４０６の間に前記紙片４０２を挟んで接着するようにしてもよい。
【実施例９】
【００５２】
次に、図１０を参照しながら本発明の実施例９を説明する。本実施例は、封筒などに設けられた宛名ラベルなどを容易に切り取り可能にした例である。図１０(A)は本実施例の封筒を示す平面図，図１０(B)は前記封筒から宛名ラベルを切り取った状態を示す平面図，(C)〜(E)は利用例及び変形例を示す図である。本実施例の封筒４５０は、表側４５２Ａに略長方形の領域を形成するようにミシン目４５４が形成されており、該ミシン目４５４で形成される領域内に宛名ラベル４５６が接着されている。前記ミシン目４５４で形成する領域を前記宛名ラベル４５６に対して大きくすると、手作業による接着で多少位置がずれた場合にも対応可能である。むろん、公知の装置によって接着する場合には、若干の余白を設ける程度の寸法に設定すればよい。
【００５３】
前記ミシン目４５４を設けることにより、封筒４５０の受取人は、図１０(B)に示すように、前記ミシン目４５４に沿って切り離し片４５５を切り離すことにより、宛名ラベル４５６を綺麗に封筒４５０から取り外すことができ、封筒４５０には窓４５８が形成される。このため、封筒４５０を廃棄する場合などに個人情報を保護することができる。また、窓４５８以外の部分に破れが生じず、図１０(C)に示すように、窓４５８よりも大きい書類４６０を収納しても飛び出ることがないため、書類保管用にそのまま再利用することができる。あるいは、内容物の一部を見せる必要がある冊子小包用の封筒として再利用するようにしてもよい。
【００５４】
更に、図１０(D)に示す例のように、前記窓４５８よりも大きい紙に宛名情報を記入し、その縁部を接着剤４６４で前記窓４５８の外側に貼ることで、封筒として再利用してもよい。あるいは、図１０(E)に示す例のように、前記切り離し片４５５に、二つ折りにして接着剤４７２で剥離可能に接着され、表面には宛名が記載された宛名ラベル４７０を接着し、封筒４５０から切り離し片４５５を切り離した後に宛名ラベル４７０を広げ、窓４５８を塞ぎ、封筒４５０を再利用するようにしてもよい。また、封筒４５０に社名などをいれるとＰＲになるが、受取人による封筒４５０の再利用を前提とすると、社名が入っていない方が好ましい場合がある。その場合は、前記切り離し片４５５や宛名ラベル４５６に社名などを表示し、ＰＲ効果を図るようにしてもよい。あるいは、前記封筒４５０に入れたときに前記窓４５８に一致する部分に宛名部が設けられたシート（図示せず）を利用することで、広告主などへの返信や社内メール便用のリユース封筒として使用してもよい。もちろん、切り離し片４５５を前記実施例のカードのように使用してよい。
【００５５】
なお、本発明は、上述した実施例に限定されるものではなく、本発明の要旨を逸脱しない範囲内において種々変更を加え得ることができる。例えば、以下のものも含まれる。
(1)前記実施例１では、紙片１２にミシン目を設けることとしたが、紙片１６側にミシン目を設けて、該ミシン目で囲まれた領域に表示された情報を活用するようにしてもよい。他の実施例についても同様に、折り返した状態で一番外側におくる紙片であれば、いずれの紙片にミシン目を設けて切り離し可能としてもよい。
【００５６】
(2)前記実施例１では、印刷物をＺ型に折り、実施例２，３，４，５では、印刷物をＶ型に折ることとしたがこれも一例であり、巻折りや観音開きタイプにするなど、印刷物の折り方は必要に応じて適宜変更してよい。図７のチラシ２０２の折り方についても同様である。
(3)ミシン目で切離される領域に設ける宛名情報などは、印刷されたものであってもよいし手書きでもよい。
【００５７】
(4)前記実施例１で示したカード２６の利用方法も一例である。例えば、図１１(A)に示すカード２６Ａのように、マス目３２のいくつかに、ＱＲコード（二次元バーコード）３４Ａ，３４Ｂを設ける。そして、該ＱＲコード３４Ａ，３４Ｂを読み込むことで、インターネット上の所定のホームページにアクセスし、ＱＲコード３４Ａ，３４Ｂが印刷されているマス目３２までポイントを貯めると貰えるプレゼントやサービスを、携帯電話やパソコンのディスプレイに、静止画あるいは動画で表示するようにしてもよい。他に、名所・旧跡などの観光地を周るスタンプラリーのような場合、ＱＲコード３４Ａ，３４Ｂによって対応するホームページにアクセスすると、該当する観光地が表示されるといった利用も可能である。また、前記ＱＲコード３４Ａ，３４Ｂが設けられているマス目３２に、図示しないスクラッチ加工を施すようにしてもよい。
【００５８】
また、図１１(B)に示すカード２６Ｂのように、あらかじめマス目３２に「宿泊」「ツアー」「お土産品」「名所」「バス」「車」「ＪＲ」などの文字を印刷しておき、観光地への交通手段によって、該当するマス目３２にスタンプを押して、マス目３２を早く埋めるようにしてもよい。このときの結果によって交通手段のリサーチを行うことができる。
このほか、配達指定区域の全戸に送付するタウンメール（配達地域指定ゆうメール）を利用することにより、顧客リストがなくても、配達地域を細かく指定して新規顧客を効率的に発掘するために利用してもよい。あるいは、手配りやポスティングで特定エリアに配布し、カード２６を客がお店などに持参して、来店時に特定サービスを受けるようにしてもよい。
【００５９】
(5)前記実施例では、郵便やメール便（宅配便）による配達，ポスティング，手渡しなどの配布方法を例にあげたが、店頭に置いて希望者が任意に持って帰ることができるようにしてもよいし、イベント等で配布してもよい。このうち、一部のポスティング，手渡し，店頭置きの場合には、必ずしも印刷物を構成する紙片や切り離し可能部分を接着する必要はなく、複数の紙片を折り線に沿って折り返し、所望の領域を切り離せるようにミシン目を設ければよい（図示せず）。あるいは、図１２(A)に示す印刷物５００のように、一枚の紙に略長方形の領域を形成するようにミシン目５０２を設け、該ミシン目５０２に沿って切断することで、切り離し可能部分５０４をカードなどとして利用してもよい。図示の例では、紙面５００Ａには宛名情報５０４Ａが記載され、紙面５００Ｂ側には複数のマス目５０４Ｂが設けられている。このような場合であっても、接着剤を塗布することによって、見栄えの向上を図ることを妨げるものではない。
【００６０】
(6)前記実施例３では、封入物１６４として小冊子やパンフレットを例にあげたが、これも一例であり、葉書，ファックス用紙，アンケート用紙，試供品など、配布物１５０の中に封入可能なものであれば、どのようなものを封入してもよい。
(7)前記実施例１のカード２６の用途は一例であり、ポイントカードや会員カードのほか、しおり，販促物，お土産品，占いカード，クリスマスカードなどに利用可能である。また、カード２６の裏面に、顧客有用情報，差出人宛ての情報，アンケートの回答欄などを設けることにより、他の公知の各種の用途（例えば、招待券，体験チケット，特典券，割引クーポン，バースティガード，プレゼント券など）に適用できる。他の実施例についても同様である。
【００６１】
(8)前記実施例８で示した紙片４０２の分離も一例であり、該紙片４０２の全体ではなく一部を分離可能としてもよいし、紙片４０６側にも、剥離可能かつ分離可能な他の紙片を接着するようにしてもよい。むろん、前記実施例８のみならず、他の実施例に対しても適用可能である。
(9)前記シール７４，７５，１３８も一例であり、同様の効果を奏するように、形状，寸法，貼り方を任意に変更してよい。また、これらシール７４，７５，１３８を、見開きタイプの印刷物に剥離可能に貼付しておくのも一例であり、他の封筒型の印刷物に、剥離紙に貼付した状態で同封するようにしてもよい。
【００６２】
(10)前記実施例を、雑誌などに封入してもよい。図１２(B)に示す例は、前記印刷物５００が、雑誌５１０の内側に封入された例であり、該印刷物５００は、ミシン目５１２に沿って雑誌５１０から切り離し可能となっている。また、前記実施例４では、配布物１００を、郵送可能な圧着封筒タイプとしたが、前記雑誌５１０などの内側に封入する読者カードとして利用してもよい。例えば、配布物１００から切り離したカード１３０のマス目１３２の全てに、書店利用時に押されるスタンプを集めて葉書表面１１４Ａに貼付し、更に、アンケート部１１８に回答を記入して郵送やＦＡＸにより送信することで、プレゼントなどを貰えるようにする。すなわち、アンケートに回答した人に対してのみ有効なスタンプカードとすることで、アンケートの回収率の向上を図ることができる。なお、前記配布物１００は、前記図１２(B)に示す例のように、ミシン目に沿って雑誌５１０から切り離し可能としてもよいし、雑誌５１０全体がパックされていたり、外側が縛られたりしている場合には、単にページ間に挟むだけにしてもよい。また、雑誌５１０や本などに配布物１００を挟む場合は、必ずしもカード１３０（宛名部１１２）を葉書表面１１４Ａに圧着する構成とせず、必要に応じて圧着すればよい。
【００６３】
(11)前記実施例で示した印刷物を複数重ね、公知の手法で図１２(C)に示すように製本してもよい。同図に示す例は、多数の印刷物５００を製本した例であるが、上述した実施例１〜９の印刷物や他の紙片などを組み合わせて製本してもよい。
(12)前記実施例では、紙片を利用した印刷物を例にあげて説明したが、これも一例であり、紙片のほか、プラスチックシートやパルプ，レジンシートなどを用いてもよいし、これらを組み合わせて利用してもよい。
(13)前記実施例で示したミシン目も一例であり、同様の効果を奏するものであれば、他の公知の各種の切り離し線を適用してよい。また、切り離し線の加工方法も、ミシン加工や型を利用した抜き加工（例えば、トムソン加工）など、公知の各種の手法を用いてよい。例えば、図１３(C)に示す印刷物５５０のように、紙片５５２Ａに設けられる切り離し可能部分５５４の輪郭５５６を、全抜き加工で形成し、切り離したときの見栄えを向上させるようにしてもよい。このように全抜き加工としても、前記切り離し可能部分５５４の裏側に、上述した実施例のように接着剤が塗布されていれば、該切り離し可能部分５５４が紙片５５２Ｂから脱落するのを防止することができる。あるいは、切り離し可能部分の輪郭の一部をミシン目で形成し、残りの部分を抜き加工で形成してもよい。
【００６４】
(14)前記実施例では、切り離し可能部の表面に、予め受取人の宛名情報や、アンケートの返送先の宛名情報などを設けておくこととしたが、これも一例であり、切り離し可能部に設ける表示は、必要に応じて適宜変更してよい。例えば、図１３(A)に示す印刷物５２０は、ポスティングで配布されるものであって、紙片５２２と５２４が剥離可能に接着されており、前記紙片５２２には、ミシン目５２６が形成されている。そして、前記ミシン目５２６によって囲まれた切り離し可能部分５２８には、住所及び氏名を書き込むための書き込み欄５３０が設けられている。このような切り離し可能部分５２８を紙片５２２から切り離し、書き込み欄５３０に住所・氏名を記入することで、上述した実施例と同様に各種カードとして利用できる。なお、前記切り離し可能部分５２８は、図１３(B)に示すように、縁部に沿った複数個所が接着剤５４０によって、紙片５２４に対して剥離可能に接着されている。むろん、接着剤５４０の塗付範囲も一例であり、前記実施例１と同様にマス目を形成するように塗布してもよいし、縁部全体を接着するようにしてもよい。
【００６５】
更に、前記切り離し可能部分５２８の表面に、前記書き込み欄５３０のほかに、削ったときに「当たり」や「はずれ」の出るスクラッチ５３２を設けたり、バーコード５３４やその他の表示（２次元バーコードなど）を設けたりしてもよい。例えば、前記バーコード５３４に、印刷物５２０の配布場所や、配布する人物の性別などの属性を予め登録しておく。そして、印刷物５２０を受け取った人物が、前記スクラッチ５３２を削って「当たり」が出た場合には、切り離し可能部分５２８をお店などに持っていき景品と交換し、店側では前記バーコード５３４から配布場所などの属性を読み取る。読み取った情報や、書き込み欄５３０に記入された情報は、店側でマーケティングなどに利用することができる。また、前記接着剤５４０が塗布されていない部分を、任意の書き込み用，押印用などに利用してもよいし、スクラッチやＱＲコードなどを設けてもよい。
【００６６】
(15)切り離し可能部分の表面もしくは裏面に、スクラッチ加工部あるいは被覆シールを施し、前記スクラッチ加工部あるいは被覆シール下面に、ＱＲコード，文字，絵，あるいは顧客有用情報などを印刷するようにしてもよい。そして、前記被覆シールを透明や半透明のシールとし、該シールを剥がすことにより情報が浮かび上がる構成としてもよい。また、空気に触れると化学反応するインキ，液晶を利用して温度によって色が変化するインキ，香りがするインキなどを利用してもよい。
(16)前記実施例では、２枚以上の紙片を重ね合わせた構造体（例えば、封筒や貼り合わせ葉書や折り畳み広告など）に本発明を適用したものであるが、一般的に、一枚の紙片で構成されるもの（例えば、しおりなど）にも本発明は適用可能である。例えば、図１３(D)に示す印刷物５６０は、ミシン目５６６で切り離し可能部分５６４が仕切られた紙片５６２Ａを、紙片５６２Ｂに剥離可能に貼り合わせた構成となっており、これら紙片５６２Ａ及び５６２Ｂを貼り合わせた状態のまましおりとして利用してもよいし、紙片５６２Ａを剥がし、紙片５６２Ｂのみをしおりとして利用することも可能である。
【００６７】
(17)前記実施例１では、切り離し可能部分（宛名部２４ないしカード２６）を略長方形としたが、これも一例であり、図１４(A)に示す貼り合わせ葉書１０Ａのように、紙片１２からハート型のカード２６Ｃを切り離し可能な構成としてもよい。このように、切り離し可能部分を、興味を惹きやすい形状や面白い形状にすることによって、販促品としての価値を高めるようにしてもよい。前記カード２６Ｃは、中央部にスクラッチ加工部２７が設けられるとともに、縁部に接着剤３０が塗布されている。前記スクラッチ加工部２７によって被覆された部分には、上述したように任意の情報を設けることが可能である。他の実施例についても同様である。なお、前記スクラッチ加工部２７は削られてしまうため、該スクラッチ加工部２７上には接着剤３０が塗布されていてもよい。あるいは、図１４(B)に示す例のように、紙面１４Ｂには、少なくとも前記スクラッチ加工部２７に相当する部分には接着剤３０を塗布せずに、直接前記スクラッチ加工部２７と接するようにしてもよい。
【００６８】
(18)前記実施例で示した紙片同士の貼り合わせも一例であり、重ね合わせた紙片の縁部を接着して、該縁部を切り離すことで印刷物を開封する構成としてもよい。
(19)前記実施例４では、コード情報１１６としてバーコードを例にあげて説明したが、これは一例であり、切り離し可能部分の表面に表示された情報と対応するものであれば、記号や数字，それらの組み合わせなどを利用してもよい。
(20)本実施例印刷物を、郵便，メール便，ポスティングなどで使用する場合には、全体を透明な袋などに入れてもよい。他の利用方法の場合も同様である。
(21)前記実施例で示した切り離し可能部分の形成位置も一例であり、紙片の縁部を輪郭の一部をして利用してもよい。例えば、長方形の切り離し可能部分を形成する場合であれば、紙片の縁部を長方形の一辺とし、他の三辺をミシン目や抜き加工で形成するなどである。
(22)本発明の印刷物は、上述した実施例で例に挙げた広告用などのほか、水道料金の通知や、地方公共団体などが使用する公的な通知などにも適用可能である。
【産業上の利用可能性】
【００６９】
本発明によれば、(1)シートに表示された情報を、切り離し線で囲んで前記シートから切り離し可能としたので、前記切り離し可能部分に設けられた情報をそのまま利用できるとともに、前記切り離し可能部分が切り離されたシートの再利用が可能となる。あるいは、(2)複数のシートが剥離可能に貼り合わせられるか、縁部を切り離すことで開封可能となるように貼り合わせられた状態で一番外側にくるシートに表示された情報を、切り離し線で囲んで前記シートから切り離し可能にするとともに、該切り離し可能部分の裏面を、相対向する他のシート又は封入物の表面に接着することで、前記切り離し可能部分が容易にシート又は封入物から脱落するのを防止する。また、前記切り離し可能部分を相対向するシート又は封入物の表面から剥離可能とするとともに、裏面に非接着部分を設けて任意の印刷，押印，書込みに利用する，あるいは、前記切り離し可能部分が接着されたシート又は封入物を印刷物本体から外して利用することで、前記切り離し可能部分に設けられた情報をそのまま利用可能となるため、広告やアンケートなどに利用される印刷物全般に適用できる。
【符号の説明】
【００７０】
１０，１０Ａ：貼り合わせ葉書
１２，１４，１６：紙片
１２Ａ，１２Ｂ，１４Ａ，１４Ｂ，１６Ａ：紙面
１８，２０：折り線
２２：ミシン目
２４：宛名部
２６，２６Ａ，２６Ｂ，２６Ｃ：カード
２７：スクラッチ加工部
２８：窓
３０：接着剤
３２：マス目
３４Ａ，３４Ｂ：ＱＲコード
５０，５０Ａ，５０Ｂ：配布物
５２，５４：紙片
５２Ａ，５２Ｂ，５４Ａ，５４Ｂ：紙面
５６：折り線
５７：角
５８：ミシン目
６０，６０Ａ，６０Ｂ：宛名部
６２，７０，８０：葉書
６２Ａ，７０Ａ，８０Ａ：表面
６２Ｂ，７０Ｂ，８０Ｂ：裏面
６４，８２：接着剤
６６：窓
７２：宛名情報
７４，７５：シール
８４：カード
８６：マス目
８８：スタンプ
１００：配布物
１０２，１０４：紙片
１０２Ａ，１０２Ｂ，１０４Ａ，１０４Ｂ：紙面
１０６：折り線
１０８：角
１１０：ミシン目
１１２：宛名部
１１３：接着剤
１１４：葉書
１１４Ａ：表面
１１４Ｂ：裏面
１１６：コード情報
１１８：アンケート部
１２０：宛名情報
１２２：窓
１３０：カード
１３２：マス目
１３４：スタンプ
１３６：接着剤
１３８：シール
１５０：貼り合わせ封書
１５２，１５４：紙片
１５２Ａ，１５２Ｂ，１５４Ａ，１５４Ｂ：紙面
１５６：折り線
１５８：接着剤
１６０：ミシン目
１６２：宛名部
１６４：封入物
１６６：接着剤
１６８：角
１７０：カード
１７０Ａ：表面
１７０Ｂ：裏面
１７２：マス目
１７４：くじ
２００：配布物
２０２：チラシ
２０４，２０６：折り線
２０８〜２１４：ブロック
２０８Ａ〜２１４Ａ，２０８Ａ〜２１４Ａ：紙面
２１６：接着剤
２１８：角部
２２０，２３０：ミシン目
２２２：宛名部
２２４，２３２：カード
２２６：接着剤
２２８，２３４：窓
２４０，２４２：貼り合わせ部
３００：配布物
３０２，３０４：紙片
３０２Ａ，３０２Ｂ，３０４Ａ，３０４Ｂ：紙面
３０６：折り線
３０８：角
３１０：ミシン目
３１２：宛名部
３１４：接着剤
３１６：窓
３１８：ミシン目（ないし切取線）
３２０：葉書
４００，４００Ａ：貼り合わせ葉書
４０２，４０４，４０６：紙片
４０２Ａ，４０２Ｂ，４０４Ａ，４０４Ｂ，４０６Ａ，４０６Ｂ：紙面
４０５：折り線
４０８：接着剤
４１０：角
４１２：ミシン目
４１４：宛名部
４１６：コメント
４１８：切れ込み
４５０：封筒
４５２Ａ：表側
４５２Ｂ：裏側
４５４：ミシン目
４５５：切り離し片
４５６：宛名ラベル
４５８：窓
４６０：書類
４６２：紙片
４６４：接着剤
４７０：宛名ラベル
４７２：接着剤
４７４：宛名
５００：印刷物
５００Ａ，５００Ｂ：紙面
５０２：ミシン目
５０４：切り離し可能部分
５０４Ａ：宛名情報
５０４Ｂ：マス目
５１０：雑誌
５１２：ミシン目
５２０：印刷物
５２２，５２４：紙片
５２６：ミシン目
５２８：切り離し可能部分
５３０：書き込み欄
５３２：スクラッチ
５３４：バーコード
５４０：接着剤
５５０：印刷物
５５２Ａ，５５２Ｂ：紙片
５５４：切り離し可能部分
５５６：輪郭
５６０：印刷物
５６２Ａ，５６２Ｂ：紙片
５６４：切り離し可能部分
５６６：ミシン目
【図１】
2010167764.tif 000003
【図２】
2010167764.tif 000004
【図３】
2010167764.tif 000005
【図４】
2010167764.tif 000006
【図５】
2010167764.tif 000007
【図６】
2010167764.tif 000008
【図７】
2010167764.tif 000009
【図８】
2010167764.tif 000010
【図９】
2010167764.tif 000011
【図１０】
2010167764.tif 000012
【図１１】
2010167764.tif 000013
【図１２】
2010167764.tif 000014
【図１３】
2010167764.tif 000015
【図１４】
2010167764.tif 000016